(57)【特許請求の範囲】
【請求項１】
貯水槽と、該貯水槽内に設けられた基部と、該基部に起立して設けられると共に環状に配置された複数の柱部と、これら柱部の上部に設けられ柱部同士を連結する留め具と、前記柱部に囲まれる空間に設けられ上下に延びる筒状に形成された内側メッシュ層と、該内側メッシュ層の内周側の空間に充填され植物を生育させるための基盤材と、前記内側メッシュ層の外周に内側メッシュ層を覆うように設けられ植物を植え込むための植込層と、該植込層内に設けられ植込層に水を供給する給水管と、該給水管に接続され前記貯水槽内の水を給水管に送るためのポンプと、前記植込層の外周に巻回され植込層に植え込まれた植物の通過を許容しつつ植込層を保持するための外側メッシュ層と、該外側メッシュ層の外周に外側メッシュ層を覆うように設けられ外側メッシュ層を露出させて植物を植生させるための露出穴を有する化粧外枠とを備え、前記留め具は、前記植込層の上端を覆うと共に前記基盤材を露出させるようにリング状に形成された天井留め具を有することを特徴とする室内用植栽ポール。
【請求項２】
貯水槽と、該貯水槽内に設けられた基部と、該基部に起立して設けられると共に環状に配置された複数の柱部と、これら柱部の上部に設けられ柱部同士を連結する留め具と、前記柱部に囲まれる空間に設けられ上下に延びる筒状に形成された内側メッシュ層と、該内側メッシュ層の内周側の空間に充填され植物を生育させるための基盤材と、前記内側メッシュ層の外周に内側メッシュ層を覆うように設けられ植物を植え込むための植込層と、該植込層内に設けられ植込層に水を供給する給水管と、該給水管に接続され前記貯水槽内の水を給水管に送るためのポンプと、前記植込層の外周に巻回され植込層に植え込まれた植物の通過を許容しつつ植込層を保持するための外側メッシュ層と、該外側メッシュ層の外周に外側メッシュ層を覆うように設けられ外側メッシュ層を露出させて植物を植生させるための露出穴を有する化粧外枠とを備え、前記柱部は金属パイプからなり、前記基部は、前記貯水槽内に載置される底板部と、該底板部に起立して設けられ前記柱部を挿入させて保持するための複数の受管と、これら受管に前記底板部から上方に離間するように設けられ前記化粧外枠及び前記植込層を受ける受皿部を有すると共に前記基盤材からの水を前記貯水槽に排水するための通水部を有する受板部と備えたことを特徴とする室内用植栽ポール。
【請求項３】
前記化粧外枠が、アルミニウムからなる筒体の外周に前記露出穴を軸方向に複数かつ周方向に複数形成してなる請求項１又は２に記載の室内用植栽ポール。
【発明の詳細な説明】
【技術分野】
【０００１】
本発明は、室内で鑑賞植物を育成するための植栽ポールに関するものである。
【背景技術】
【０００２】
従来のオフィスにおけるプラントは所謂貸鉢である。
【０００３】
これは耐陰性のある、主に熱帯及び亜熱帯植物を鉢植えにしてオフィスに置き、定期的に交換し、樹勢を保つものである。
【０００４】
他にポトスなどの耐陰性の強い植物を中心に所謂水耕栽培の原理で恒久的に室内に設置するタイプのものが普及し始めている。
【先行技術文献】
【特許文献】
【０００５】
【特許文献１】特開２０１１−６７１４０号公報
【発明の概要】
【発明が解決しようとする課題】
【０００６】
ところで、貸鉢タイプの業者による鉢交換や日常の潅水は、意外に気遣わしい。また、レンタル形式などで恒久的に費用が掛かる。このため、足元のタンクに水を溜め、この水をポンプで循環すると共に、蒸散や光合成で大気に放散した水を補いながら、必要量の追い水をタンクに入れていくタイプ、すなわち、据え置き型の水耕栽培タイプが望ましいが、エアコンの効いた室内では葉肉の薄い植物にとって生きにくい環境となるという問題と、循環する水が劣化するという問題とがあった。
【０００７】
そこで、本発明の目的は、上記課題を解決し、日常管理の手間を軽減でき植物を良好に育成できる衛生的な室内用植栽ポールを提供することにある。
【課題を解決するための手段】
【０００８】
上記課題を解決するために本発明は、貯水槽と、該貯水槽内に設けられた基部と、該基部に起立して設けられると共に環状に配置された複数の柱部と、これら柱部の上部に設けられ柱部同士を連結する留め具と、前記柱部に囲まれる空間に設けられ上下に延びる筒状に形成された内側メッシュ層と、該内側メッシュ層の内周側の空間に充填され植物を生育させるための基盤材と、前記内側メッシュ層の外周に内側メッシュ層を覆うように設けられ植物を植え込むための植込層と、該植込層内に設けられ植込層に水を供給する給水管と、該給水管に接続され前記貯水槽内の水を給水管に送るためのポンプと、前記植込層の外周に巻回され植込層に植え込まれた植物の通過を許容しつつ植込層を保持するための外側メッシュ層と、該外側メッシュ層の外周に外側メッシュ層を覆うように設けられ外側メッシュ層を露出させて植物を植生させるための露出穴を有する化粧外枠とを備え、前記留め具は、前記植込層の上端を覆うと共に前記基盤材を露出させるようにリング状に形成された天井留め具を有するものである。
【０００９】
また、本発明は、貯水槽と、該貯水槽内に設けられた基部と、該基部に起立して設けられると共に環状に配置された複数の柱部と、これら柱部の上部に設けられ柱部同士を連結する留め具と、前記柱部に囲まれる空間に設けられ上下に延びる筒状に形成された内側メッシュ層と、該内側メッシュ層の内周側の空間に充填され植物を生育させるための基盤材と、前記内側メッシュ層の外周に内側メッシュ層を覆うように設けられ植物を植え込むための植込層と、該植込層内に設けられ植込層に水を供給する給水管と、該給水管に接続され前記貯水槽内の水を給水管に送るためのポンプと、前記植込層の外周に巻回され植込層に植え込まれた植物の通過を許容しつつ植込層を保持するための外側メッシュ層と、該外側メッシュ層の外周に外側メッシュ層を覆うように設けられ外側メッシュ層を露出させて植物を植生させるための露出穴を有する化粧外枠とを備え、前記柱部は金属パイプからなり、前記基部は、前記貯水槽内に載置される底板部と、該底板部に起立して設けられ前記柱部を挿入させて保持するための複数の受管と、これら受管に前記底板部から上方に離間するように設けられ前記化粧外枠及び前記植込層を受ける受皿部を有すると共に前記基盤材からの水を前記貯水槽に排水するための通水部を有する受板部と備えたものである。
【００１０】
前記化粧外枠が、アルミニウムからなる筒体の外周に前記露出穴を軸方向に複数かつ周方向に複数形成してなるとよい。
【発明の効果】
【００１２】
本発明によれば、日常管理の手間を軽減でき植物を良好に育成できる衛生的な室内用植栽ポールを提供できる。
【図面の簡単な説明】
【００１３】
【図１】本発明の実施の形態を示す室内用植栽ポールの側面図である。
【図２】図１の平面図である。
【図３】室内用植栽ポールの側断面図である。
【図４】図３のＡ−Ａ線矢視断面図である。
【図５】室内用植栽ポールの要部斜視断面図である。
【図６】室内用植栽ポールの組立手順を示す図であり、（ａ）は第１工程、（ｂ）は第２工程を示す。
【図７】室内用植栽ポールの組立手順を示す図であり、（ａ）は第３工程、（ｂ）は第４工程を示す。
【図８】室内用植栽ポールの組立手順を示す図であり、（ａ）は第５工程、（ｂ）は第６工程を示す。
【発明を実施するための形態】
【００１４】
図１、図２及び図３に示すように、室内用植栽ポール１は、円柱状に形成されており、オフィスのあらゆる方向から見られることを前提に高さを２ｍ、直径を４００ｍｍ前後とされている。これにより、室内用植栽ポール１は、室内での組み立てを容易にされている。
【００１５】
図３及び図５に示すように、室内用植栽ポールは１、貯水槽２と、貯水槽２内に設けられた基部３と、基部３に起立して設けられると共に環状に配置された複数の柱部４と、これら柱部４の上部に設けられ柱部４同士を連結する留め具５と、柱部４に囲まれる空間に設けられ上下に延びる筒状に形成された内側メッシュ層６と、内側メッシュ層６の内周側の空間に充填され植物を生育させるための基盤材７と、内側メッシュ層６の外周に内側メッシュ層６を覆うように設けられ植物を植え込むための植込層８と、植込層８内に設けられ植込層８に水を供給する給水管９と、給水管９に接続され貯水槽２内の水を給水管９に送るためのポンプ１０と、植込層８の外周に巻回され植込層８に植え込まれた植物の通過を許容しつつ植込層８を保持するための外側メッシュ層１１と、外側メッシュ層１１の外周に外側メッシュ層１１を覆うように設けられ外側メッシュ層１１を露出させて植物を植生させるための露出穴１２を有する化粧外枠１３と、貯水槽２を覆うカバー１４とを備える。
【００１６】
貯水槽２は、ＦＲＰからなり平面視長方形の桶状に形成されている。
【００１７】
基部３は、貯水槽２内に載置される底板部１５と、底板部１５に起立して設けられ柱部４を挿入させて保持するための複数の受管１６と、これら受管１６に底板部１５から上方に離間するように設けられた受板部１７とを備える。底板部１５は、貯水槽２の底面全体に沿う長方形状に形成されている。受管１６は、柱部４より大径の金属管からなり、内部に柱部４を挿入できるようになっている。受管１６は、長さ約２００ｍｍに形成されており、底板部１５上に外径２５０ｍｍの環状に６本等間隔に配置されている。受板部１７は、化粧外枠１３及び植込層８を受ける受皿部１７ａを有すると共に基盤材７からの水を貯水槽２に排水するための通水部１７ｂを有する。受皿部１７ａはリング板状に形成された底部１８ａを有すると共に底部１８ａの外周から上方に延びる壁部１８ｂを有する。底部１８ａは、底板部１５から１００ｍｍ上方に離間されている。底板部１５、受管１６及び受板部１７は、それぞれＳＵＳからなる。底板部１５と受管１６、受管１６と受板部１７はそれぞれ溶接にて接合されている。
【００１８】
柱部４は、直径約３５ｍｍ、長さ約２ｍの金属パイプ（ＳＵＳパイプ）からなる。
【００１９】
留め具５は、植込層８の上端を覆うと共に基盤材７を露出させるようにリング状に形成された天井留め具１９と、室内用植栽ポール１を組み立てるとき柱部４同士を仮止めする仮留め具２０とからなる。天井留め具１９は、植込層８の上端を覆うリング板状の天井板部２１と、天井板部２１に周方向に沿って複数設けられ各柱部４内に挿入するための差込バー２２とを備える。天井板部２１の中心の孔２３は直径約２００ｍｍに形成されている。この孔２３は、柱部４の調節や基盤材７の投入などに使用される。図４に示すように、仮留め具２０は、各柱部４に囲まれる空間に各柱部４に沿って挿入される筒部２４と、筒部２４に周方向に沿って複数設けられ柱部４に締結されるＵボルト２５とを備える。
【００２０】
図５に示すように、内側メッシュ層６は、複数の柱部４に囲まれる空間に樹脂からなる矩形状の第１メッシュシート２６を各柱部４に沿うように筒状に張り込んでなる。第１メッシュシート２６は、複数の柱部４に囲まれる空間内で筒状に丸められることで自身の反発力により拡径し、柱部４に沿って張り込まれる。第１メッシュシート２６は、柱部４に沿って張り込んだときの合わせ部分（第１メッシュシート２６の周方向の両端が重なる周方向の長さ）が十分な長さ（例えば、２００ｍｍ以上）となるように周方向の寸法を決定されていると共に、天井留め具１９と受板部１７との間を完全に塞ぐように上下方向の寸法を決定されている。また、第１メッシュシート２６の目は１０ｍｍ×１０ｍｍ程度のものとされ、太い根の進入を防ぎ、成長に必要な吸収根の進入のみを許容するように根の進入を抑制すると共に、基盤材７を受け止めて保持するようになっている。
【００２１】
基盤材７は、焼成多孔質材と、籾殻クンタンと、保水材と、完熟バークとを所定の割合で混合してなる。
【００２２】
植込層８は、水苔と多孔質軽量材を混ぜ込んでなる混合水苔８ａからなる。
【００２３】
給水管９は、点滴給水ホースからなり、外周に水噴出用の孔（図示せず）を有する。給水管９は、環状に配置された複数の柱部４に周方向に順次掛け渡すように下部から上方に螺旋状に巻き上げられて敷設されている。また、給水管９は、上部に数巻きの余裕を残すように長さを設定されており、柱部４の上部で密に巻かれるようになっている。
【００２４】
ポンプ１０は、小型水中ポンプからなり、貯水槽２内に設けられている。
【００２５】
外側メッシュ層１１は、内側メッシュ層６の第１メッシュシート２６よりも目の大きな第２メッシュシート２７からなる。第２メッシュシート２７は第１メッシュシート２６と同じ樹脂からなり矩形状に形成されている。第２メッシュシート２７の目は、２５ｍｍ×２５ｍｍ程度に形成されている。
【００２６】
化粧外枠１３は、アルミニウムからなる筒体の外周に露出穴１２を軸方向に複数かつ周方向に複数形成してなる。図３に示すように、化粧外枠１３の上部には、ドライミストを噴射する噴出部２８が設けられている。噴出部２８にはドライミストを供給するためのドライミストホース２９が接続されている。ドライミストホース２９は、柱部４のいずれかに沿って上下に延びるように敷設されている。また、ドライミストホース２９には、浄水を供給するための浄水給水部（図示せず）が接続されている。
【００２７】
次に本実施の形態の作用を述べる。
【００２８】
室内用植栽ポール１を室内で組み立てる場合、図６（ａ）に示すように、貯水槽２内に基部３を載置し、それぞれの受管１６に柱部４を挿入する。
【００２９】
次に、図６（ｂ）及び図４に示すように、柱部４の上部に仮留め具２０を取り付ける。このとき、複数の柱部４に囲まれる空間内に仮留め具２０の筒部２４を挿入すると共に各Ｕボルト２５内に柱部４を挿入するように柱部４の上方から取り付け、柱部４同士の間隔が上下で同じとなるように各柱部４の姿勢を整える。また、環状に配置された複数の柱部４に給水管９を周方向に順次掛け渡すように下部から上方に螺旋状に巻き上げて取り付ける。このとき、柱部４の上部には給水管９を数巻き密に巻いて給水管９の端部を留める。またさらに、柱部４のいずれかにドライミストホース２９を沿わせて取り付ける。
【００３０】
図７（ａ）に示すように、複数の柱部４に囲まれる空間内に第１メッシュシート２６を丸めた状態で挿入し、前記空間内で開放する。第１メッシュシート２６は自身の反発力で柱部４に張り付き、内側メッシュ層６が形成される。このとき、第１メッシュシート２６は予め周方向の寸法を十分に形成されているため、周方向の両端には十分な長さの合わせ部分が形成される。この後、内側メッシュ層６に囲まれる空間内に基盤材７を詰め込む。
【００３１】
図７（ｂ）に示すように、柱部４を基部３ごと傾斜させ、柱部４の外周に化粧外枠１３を被せる。化粧外枠１３は、基部３の受板部１７の壁部１８ｂ内に挿入されると共に受板部１７の底部１８ａ上に載置されて位置決めされる。
【００３２】
この後、図８（ａ）に示すように、化粧外枠１３と複数の柱部４との間の空間に第２メッシュシート２７を丸めた状態で挿入し、開放する。第２メッシュシート２７は自身の反発力で化粧外枠１３に張り付き、外側メッシュ層１１が形成される。第２メッシュシート２７も第１メッシュシート２６と同様に予め周方向の長さを十分に形成されているため、周方向の両端には十分な長さの合わせ部が形成される。このようにして第２メッシュシート２７が化粧外枠１３に密着したのを確認したら、内側メッシュ層６と外側メッシュ層１１との間の空間内に水苔と多孔質軽量材を予め混ぜ込んでなる混合水苔８ａを十分詰め込む。
【００３３】
図１及び図３に示すように、化粧外枠１３の上端から５０ｍｍ程度下方の位置にドライミストを噴射するための噴射孔３０を形成し、この噴射孔３０からドライミストを噴射するように化粧外枠１３に噴出部２８を設ける。噴射孔３０は、化粧外枠１３の周方向に３〜６箇所程度形成し、これら噴射孔３０からドライミストを放射状に噴射するようにする。また、噴出部２８には、ドライミストホース２９を接続する。給水管９にはポンプ１０を接続する。ポンプ１０は、貯水槽２内の底板部１５上に配置する。また、貯水槽２にカバー１４を被せる。
【００３４】
この後、ポンプ１０を稼働させて植込層８及び基盤材７に綺麗な水を含ませ、植込層８及び基盤材７に水を馴染ませてから露出穴１２から外側メッシュ層１１越しに露出する植込層８に任意の植物を植え付けていく。
【００３５】
貯水槽２内に溜められた水は、給水管９から植込層８に供給される。植込層８は、外周を化粧外枠１３に覆われ、上端を天井留め具１９の天井板部２１に覆われ、下端を基部３の受板部１７に覆われているため、エアコンの効いた乾燥した室内であっても水が蒸発しにくく植込層８の乾燥を防ぐことができる。また、植込層８で余った水分は、自然流下により植込層８及び基盤材７を湿潤にする。植込層８及び基盤材７の下端まで流下した水は受板部１７の通水部１７ｂから貯水槽２内に戻り、給水管９から供給された水を常に循環させることができる。このとき基盤材７はフィルタとして機能し、水の腐敗を防ぐことができる。すなわち、多孔質物質を含む基盤材７は、バクテリアを濾過すると共に植物に有害な化学的成分を除去するため、水の腐敗を防ぐと共に水を浄化することができる。また、基盤材７には、天井板部２１の中央の孔から通気するため、植物の根に酸素を十分に供給できる。
【００３６】
このように、室内用植栽ポール１が、貯水槽２と、貯水槽２内に設けられた基部３と、基部３に起立して設けられると共に環状に配置された複数の柱部４と、これら柱部４の上部に設けられ柱部４同士を連結する留め具５と、柱部４に囲まれる空間に設けられ上下に延びる筒状に形成された内側メッシュ層６と、内側メッシュ層６の内周側の空間に充填され植物を生育させるための基盤材７と、内側メッシュ層６の外周に内側メッシュ層６を覆うように設けられ植物を植え込むための植込層８と、植込層８内に設けられ植込層８に水を供給する給水管９と、給水管９に接続され貯水槽２内の水を給水管９に送るためのポンプ１０と、植込層８の外周に巻回され植込層８に植え込まれた植物の通過を許容しつつ植込層８を保持するための外側メッシュ層１１と、外側メッシュ層１１の外周に外側メッシュ層１１を覆うように設けられ外側メッシュ層１１を露出させて植物を植生させるための露出穴１２を有する化粧外枠１３とを備えるものとしたため、室内用植栽ポール１を衛生的にできると共に、日常管理の手間を軽減でき植物を良好に育成することができる。また、造形的な置物的な趣を強めることができ、植物以外が総て覆われることにより、ふき取りその他の衛生管理が容易である。またさらに、植込層８及び基盤材７からの蒸散を大幅に減少でき、給水回数も減少することができる。これにより、貯水槽２内の貯水中の養分等の濃度が急激に上昇するのを防ぐことができる。
【００３７】
化粧外枠１３が、アルミニウムからなる筒体の外周に露出穴１２を軸方向に複数かつ周方向に複数形成してなるものとしたため、軽量にできると共に美しい外観にできる。また、容易に掃除ができ、さらに衛生的にできる。
【００３８】
留め具５は、植込層８の上端を覆うと共に基盤材７を露出させるようにリング状に形成された天井留め具１９を有するものとしたため、植込層８の乾燥を防止できると共に基盤材７内に通気させることができる。
【００３９】
柱部４は金属パイプからなり、基部３は、貯水槽２内に載置される底板部１５と、底板部１５に起立して設けられ柱部４を挿入させて保持するための複数の受管１６と、これら受管１６に底板部１５から上方に離間するように設けられ化粧外枠１３及び植込層８を受ける受皿部１７ａを有すると共に基盤材７からの水を貯水槽２に排水するための通水部１７ｂを有する受板部１７とを備えるものとしたため、室内用植栽ポール１を簡易な構造にできる。
【００４０】
なお、化粧外枠１３にＬＥＤ照明（図示せず）を取り付けてもよい。今日ではＬＥＤ照明の進化により地下で果実を生産できるまでになっているため、室内観賞植物のインテリアとしてのあり方も大きく変えていくものと考えられる。
【００４１】
すなわち緑を楽しむのみならず、近い将来は花や果実を鑑賞する四季の変化を屋内にいながらにして楽しむオフィスプラントも可能と考えられる。
【符号の説明】
【００４２】
１  室内用植栽ポール
２  貯水槽
３  基部
４  柱部
５  留め具
６  内側メッシュ層
７  基盤材
８  植込層
８ａ  混合水苔
９  給水管
１０  ポンプ
１１  外側メッシュ層
１２  露出穴
１３  化粧外枠
１４  カバー
１５  底板部
１６  受管
１７  受板部
１７ａ  受皿部
１７ｂ  通水部
１８ａ  底部
１８ｂ  壁部
１９  天井留め具
２０  仮留め具
２１  天井板部
２２  差込バー
２４  筒部
２５  Ｕボルト
２６  第１メッシュシート
２７  第２メッシュシート
２８  噴出部
２９  ドライミストホース
【図１】
0005872254.tif 000002
【図２】
0005872254.tif 000003
【図３】
0005872254.tif 000004
【図４】
0005872254.tif 000005
【図５】
0005872254.tif 000006
【図６】
0005872254.tif 000007
【図７】
0005872254.tif 000008
【図８】
0005872254.tif 000009